(57)【要約】      （修正有）【課題】栽培物に必要な水分及び養分を失うことなく重複して運用し、栄養液を循環供給する水耕栽培液体供給装置を提供する。【解決手段】水耕栽培液体供給装置は、少なくとも盤体１０、液体供給台２０及びモーター３０から構成される。そのうち、盤体１０は納置空間を備えて、そこに液体供給台２０を設置する。また該液体供給台２０は第一凸条２１を設置して相互に連通した液体供給区２２及び導入区２３を形成し、且つ該液体供給区２２は複数の第二凸条２２１を交錯設置して液体供給流道２２２を形成する。盤体１０内には集水区２５を設置し、且つ液体供給区２２と導入区２３は段差面を備え、モーター３０は集水区２５及び液体供給区２２をそれぞれ接続して栄養液を送る。【選択図】図１
0003180721.tif 000002
【実用新案登録請求の範囲】
【請求項１】
水耕栽培液体供給装置において、少なくとも、
納置空間を備える盤体と、
該盤体内に設置し、第一凸条によって液体供給区及び導入区を形成して相互に連通し、且つ複数の第二凸条を設置して液体供給流道を設置し、周辺には停止板を設置し、更に該盤体内は液体供給台に相対する別側には集水区を設置する液体供給台と、
該液体供給台に設置し、集水区及び液体供給区をそれぞれ繋ぐモーターを含むことを特徴とする水耕栽培液体供給装置。
【請求項２】
前記液体供給区は平面で、複数の第二凸条は交錯設置して液体供給流道を形成し、且つ導入区と集水区は第一段差面を備えることを特徴とする請求項１記載の水耕栽培液体供給装置。
【請求項３】
前記液体供給区と導入区は、第二段差面を備えることを特徴とする請求項２記載の水耕栽培液体供給装置。
【請求項４】
前記液体供給区は、階段層を備え、複数の階段層は複数の第二凸条の垂直面に相対し、且つ複数の第二凸条はオーバーフロー部を設置して相互に交錯して設置した液体供給流道を形成し、また該オーバーフロー部は予定高度を備えることを特徴とする請求項１記載の水耕栽培液体供給装置。
【請求項５】
前記複数の第二凸条は直線凸で、平行で交互に設置し液体供給流道を形成することを特徴とする請求項３または４記載の水耕栽培液体供給装置。
【請求項６】
前記複数の第二凸条は円弧形凸で、更に交互に設置し液体供給流道を形成することを特徴とする請求項３または４記載の水耕栽培液体供給装置。
【請求項７】
前記盤体は植物定置板を設置し、ＬＥＤライト板を固定設置することを特徴とする請求項３または４記載の水耕栽培液体供給装置。
【請求項８】
前記盤体は、植物定置板を設置し、ＬＥＤライト板を固定し、且つ該盤体は複数の支持フレームを設置し、該植物定置板は該複数の支持フレームを穿設し盤体に対応し、ＬＥＤライト板は該複数の支持フレームによって固定し、更に該植物定置板上方に設置し、且つ該植物定置板は複数の穿孔を穿設してそこに野菜の苗を設置して固定し、且つ該複数の穿孔は液体供給流道が対応することを特徴とする請求項３または４記載の水耕栽培液体供給装置。
【請求項９】
前記盤体の納置空間は、液体供給台別側に相対して置物区を設置することを特徴とする請求項３または４記載の水耕栽培液体供給装置。
【請求項１０】
前記盤体は、設置部を設置してそこに該モーターを設置することを特徴とする請求項３または４記載の水耕栽培液体供給装置。
【請求項１１】
前記盤体は、固定台を設置して該モーターを高く持ち上げることを特徴とする請求項３または４記載の水耕栽培液体供給装置。
【請求項１２】
前記モーターは、シンク型モーターであることを特徴とする請求項３または４記載の水耕栽培液体供給装置。
【請求項１３】
前記集水区は栄養液を入れることを特徴とする請求項３または４記載の水耕栽培液体供給装置。
【考案の詳細な説明】
【技術分野】
【０００１】
本考案は、水耕栽培装置に関するもので、特に栽培物に供給した水分及び栄養分が流出せずに重複運用し、栄養液を循環供給する水耕栽培液体供給装置に係わる。
【背景技術】
【０００２】
公知の大型栽培場では、一般に開放式平面土耕農地を使用する。それには広い面積が必要で、且つ天気の影響も受けやすいため、生産量も不安定であり、且つ外来生物の汚染にも遭いやすい。更に公知の土耕方式は、都市居住者には不適当である。そのため、水耕栽培の方法が最近、非常に受け入れられるようになり、居住環境に制限を受ける人々が空いた空間で家族のための野菜を作ることが出来るようになった。それに依る長所として、一に市場で売っている残留農薬の野菜を食べなくてもよく、二に野菜作りを楽しむことができ、楽しみのための費用が少なくて済むことである。
【０００３】
農作物の栽培は、主に関連設備で光、水、酸素等農作物の生長に必要なエネルギー源をコントロールすることで、安定性、高品質の収穫物を得ることができる。収穫物の生産量を上げるために、水耕栽培の空間利用は、公知の土耕栽培よりも簡便であるが、水耕栽培には根の部分が常に栄養液に浸されていることが原則である。
【０００４】
更に、日照、及び水は植物栽培の生長にとって、非常に重要な要素であり、植物の生長はほぼそれらの作用に影響し、日照条件は植物の生長に特に影響する。日常の水供給作業は時間と手間がかかるため、如何にして植物の習性に基づき、生長させ、植物の生長に重要である。
【考案の概要】
【考案が解決しようとする課題】
【０００５】
解決しようとする問題点は、日常の水供給作業は時間と手間がかかる点である。
【課題を解決するための手段】
【０００６】
本考案は、少なくとも盤体、液体供給台及びモーターから構成される。そのうち、盤体は納置空間を備えて、そこに液体供給台を設置する。また該液体供給台は第一凸条を設置して相互に連通した液体供給区及び導入区を形成し、且つ該液体供給区は複数の第二凸条を交錯設置して液体供給流道を形成する。盤体内には集水区を設置し、且つ液体供給区と導入区は段差面を備え、モーターは集水区及び液体供給区をそれぞれ接続して栄養液を送ることを最も主要な特徴とする。
【考案の効果】
【０００７】
本考案の水耕栽培液体供給装置は、以下の利点がある。
１.栄養液は、盤体内の集水区、液体供給区及び導入区によって流動循環回路を形成し、栄養液を充分運用して失わない。
２.液体供給流道内の流動する栄養液は交錯設置した第二凸条によって栄養液流動の速度を緩和する。
３.液体供給区を緩やかに流れる栄養液は段差面、並びに引力によって、下方の導入区へ自然に流れる。
【図面の簡単な説明】
【０００８】
【図１】本考案の立体構造図である。
【図２】本考案の第一実施例の構造分解図である。
【図３】本考案の第一実施例の循環回路構造指示図である。
【図４】本考案の第二実施例の構造指示図である。
【図５】本考案の第三実施例の立体構造図である。
【図６】本考案の第四実施例の立体構造図である。
【図７】本考案の別の立体構造図である。
【考案を実施するための形態】
【０００９】
上述のとおり、栽培物に必要な水分及び養分を失うことなく重複して運用し、栄養液を循環供給する水耕栽培液体供給装置を提供することを主な目的とする。
【００１０】
上述の目的を達成するため、本考案の水耕液体供給裝置は、少なくとも盤体、液体供給台及びモーターから構成して含む。そのうち、盤体は納置空間を備えて、そこに液体供給台を設置する。また該液体供給台の周辺には停止板を設置し、且つ該液体供給台は第一凸条を設置して相連通した液体供給区及び導入区を形成し、該液体供給区は複数の第二凸を交錯設置して液体供給流道を形成する。更に盤体内には集水区を設置し、液体供給区と導入区は段差面を備え、且つモーターは集水区及び液体供給区をそれぞれ接続し、集水区内の栄養液を吸引して液体供給区へ送る。
【００１１】
使用時、更に盤体は植物定置板及びＬＥＤライト板を設置し、植物定置板は植物の苗を定位栽培するのを提供し、且つ植物定置板は液体供給流道を固定設置し、回流循環系統によって、苗の生長に必要な栄養液を提供し、且つ該栄養液を失わず重複運用する。次にＬＥＤライト板は温度及び光源を調整し、適時に光や安定した環境を提供し、植物の苗の生長を加速することを目的とする。
【実施例１】
【００１２】
本考案の特徴を図式と共に実施例を挙げて説明する。
【００１３】
図１に示すとおり、本考案の水耕栽培液体供給装置は、少なくとも盤体１０、液体供給台２０及びモーター３０から構成される。そのうち、
【００１４】
該盤体１０納置空間を備える。
【００１５】
該液体供給台２０は、該盤体１０内に設置し、該液体供給台２０は第一凸条２１によって液体供給区２２及び導入区２３を形成して相互に連通し、且つ該液体供給区２２は複数の第二凸条２２１を設置して液体供給流道２２２を形成し、該液体供給台２０周辺には停止板２４を設置し、該盤体１０内の液体供給台２０に相対する別側には集水区２５を設置する。
【００１６】
該モーター３０は、該盤体１０に設置し、該モーター３０は集水区２５及び液体供給区２２をそれぞれ繋げて設置する。
【００１７】
本考案の第一実施例は、図２及び図３に示すとおり、液体供給区は平面である。集水区２５は停止板２４及び液体供給台２０によって盤体１０内に形成し、盤体１０は植物定置板４０及びＬＥＤライト板５０を設置し、また盤体１０は支持フレーム２７を設置して植物定置板４０及びＬＥＤライト板５０を固定する。また植物定置板４０は複数の穿孔４１を設置し、植物の苗を定位して植えるのに用い、且つ複数の穿孔４１は液体供給流道２２２に対応して固定設置し、また該複数の第二凸条２２１は直線凸２２３で、平行で交互に液体供給流道２２２を形成する。使用時、該集水区は栄養液６０を入れ、且つ第一段差面２６よりも低い。モーター３０を動かすと、集水区２５内の栄養液６０を吸入して液体供給区２２へ送る。栄養液６０は直線凸２２３が平行に相互に交錯して設置し形成した液体供給流道２２２を流れ、更に直線凸２２３が栄養液６０流動速度を有益に緩和し、緩やかに流れる間に栄養液６０が活性を備え、植物の苗は充分に栄養を吸収する。次に液体供給流道２２２内の栄養液６０は導入区２３へ連通して流れ、更に導入区２３によって栄養液６０を集水区２５へ引き込み、主に引力によって第一段差面２６から自然に栄養液６０を導入区２３から下流の集水区２５へ流れ、盤体１０内の栄養液６０を液体供給区２２、導入区２３及び集水区２５に於いて流動循環して回り、栄養液を十分に運用して失わず、適時光及び安定した環境を提供して植物の苗の生長を加速させる。
【実施例２】
【００１８】
本考案の第二実施例は図４に示すとおり、該複数の第二凸条２２１は円弧形凸２２４で、平行に相互に交錯するよう設置して液体供給流道２２２を形成する。使用時にはモーター３０を始動して集水区２５内の栄養液６０を吸入して液体供給区２２へ送り、栄養液６０は相互に交錯して設置した円弧形凸２２４で形成した液体供給流道２２２を流れ、円弧形凸２２４が栄養液６０の流れる速度を緩和することに拠って、ゆっくりと流れている間に栄養液６０が活性を備え、植物の苗に充分栄養を吸収させる。
【実施例３】
【００１９】
本考案の第三実施例は図５に示すとおり、液体供給区は平面で、液体供給区２２と導入区２３の連通箇所には第二段差面２８を設置し、栄養液６０が液体供給流道２２２から導入区２３へ流動した時、第二段差面２８によって栄養液６０の流動に牽引流性を備えさせ、栄養液６０が液体供給区２２から導入区２３へ流入するのを助け、更に導入区２３から栄養液６０を集水区２５へ引き入れ、引力によって、第一段差面２６から栄養液６０を導入区２３から下方の集水区２５へ自然に流れ、盤体１０内の栄養液６０を液体供給区２２、導入区２３及び集水区２５によって循環回路を形成し、充分に栄養液６０を運用し失わず、水耕植物栽培の生長を高める。
【実施例４】
【００２０】
本考案の第四実施例は図６に示すとおり、該液体供給区２２は階段層２２５を備え、複数の階段層２２５は複数の第二凸条２２１の垂直面に相対し、且つ複数の第二凸条２２１はオーバーフロー部２２１１を相互に交錯して設置して液体供給流道２２２を形成する。該オーバーフロー部２２１１は予定高度を備え、栄養液６０が液体供給流道２２２を流れる時、オーバーフロー部２２１１は液体供給流道２２２の栄養液６０を一時保存し、暫時保存した栄養液６０はオーバーフロー部２２１１より高く、溢れた分は下へ向かって流れ、且つ階段層２２５間の段差によって発生した流速は液体供給流道２２２の栄養液６０をオーバーフロー部２２１１方向へ流れさせる。栄養液６０の流動は牽引流性を備え、栄養液６０が液体供給区２２から導入区２３へ流れるのを助け、更に導入区２３から栄養液６０を集水区２５へ引き入れ、盤体１０内の栄養液６０が液体供給区２２、導入区２３及び集水区２５で流動循環回路を形成し、充分栄養液６０を運用して失わず、水耕植物栽培の生長を高める。
【００２１】
その他、図６及び図７に示すとおり、該盤体１０は停止板２４及び液体供給台２０によって設置部１１を形成して、そこにモーター３０を設置して湿度に当たるのを防止する。または該盤体１０は固定台（図未提示）を設置して該モーター３０が湿度に当たるのを防止するために高く置く。または該モーター３０はシンク型モーターを集水区２５内に設置する。その他、図６に示すとおり、該盤体１０の納置空間は、停止板２４によって，液体供給台２０別側に相対して置物区１２を形成し、物を置いて湿度を防止する。更に、モーター設置部１１または固定台は集水区２５と同じ高さでモーターの出力によって栄養液６０に流速を与え、栄養液６０を液体供給区２２へスムーズに流すのに役立つ。
【００２２】
モーター放置区は、集水区と同じ高さで、モーター出力によって、栄養液６０を液体供給区２２へスムーズに流す力を発生させる。
【００２３】
上述のとおり、本考案は実行可能な水耕栽培液体供給装置を提供し、法に基づき、実用新案登録を申請する。本考案の技術内容及び技術特徴は、既に上記のとおりであるが、当領域に習熟した者が、本考案が提示し、本考案の精神から乖離しない入れ替えや修飾を行うかもしれない。拠って、本考案の保護範囲は、実施例に制限されず、各種の本考案に乖離しない入れ替えや修飾も、以下の請求項に含まれるものとする。
【符号の説明】
【００２４】
１０        盤体
１１        設置部
１２        置物区
２０        液体供給台
２１        第一凸条
２２        液体供給区
２２１      第二凸条
２２１１    オーバーフロー部
２２２      液体供給流道
２２３      直線凸
２２４      円弧形凸
２２５      階段層
２３        導入区
２４        停止板
２５        集水区
２６        第一段差面
２７        支持フレーム
２８        第二段差面
３０        モーター
４０        植物定置板
４１        穿孔
５０        ＬＥＤライト板
６０        栄養液
【図１】
0003180721.tif 000003
【図２】
0003180721.tif 000004
【図３】
0003180721.tif 000005
【図４】
0003180721.tif 000006
【図５】
0003180721.tif 000007
【図６】
0003180721.tif 000008
【図７】
0003180721.tif 000009